(57)【要約】【課題】操作子の実装スペースが少ない場合にも、各項目ごとの摺動操作子を操作して対応する項目についてのボリューム調整を行っているような操作感を与えることができるようにする。【解決手段】各種信号処理の項目と一対一で対応づけられた対応操作子を押し続けて摺動操作子を操作することで、その対応操作子と対応づけられた項目の設定値を調整するための操作ができるようにする。このようにして設定値を調整するための操作を、対応操作子を押しながら摺動操作子を操作することとしたことで、従来のようにそれぞれの項目ごとの摺動操作子を設けずとも、あたかもそれら各項目ごとの摺動操作子を操作して対応する項目についてのボリューム調整を行っているような感覚を与えることができる。【選択図】図４
2007286896.tif 000002
【特許請求の範囲】
【請求項１】
入力信号についての信号処理として、複数項目の信号処理をそれぞれ指示された設定値に基づき行うように構成された信号処理手段と、
少なくとも１つの摺動操作子と上記複数項目の個々と一対一で対応づけられた複数の対応操作子とが設けられた操作手段と、
表示手段と、演算手段とを備えると共に、
上記演算手段は、
何れかの上記対応操作子による操作入力が継続している間に、上記摺動操作子による操作入力が得られたことに応じて、上記操作入力が継続している対応操作子と対応づけられた項目の設定値を表すための情報として上記表示手段に表示される表示値が変更されるように制御する変更操作受付処理を実行するようにされている、
ことを特徴とする情報処理装置。
【請求項２】
上記演算手段は、
何れかの上記対応操作子による操作入力が行われたとき、当該操作入力が継続する間において、ボリューム変更画面として、少なくとも上記操作入力が継続している対応操作子と対応づけられた項目の設定値を表すための情報が上記表示値として表示される画面が上記表示手段に表示されるように制御するボリューム変更画面表示制御処理をさらに実行するようにされ、
上記変更操作受付処理では、上記ボリューム変更画面における上記表示値が上記摺動操作子の操作方向／操作量に応じて変更されるように制御するようにされる、
ことを特徴とする請求項１に記載の情報処理装置。
【請求項３】
上記演算手段は、
上記操作手段による所定の操作入力に応じて、現在の表示値を設定値として確定するバリアブルモードと、設定値をプリセット値に確定するプリセットモードとの切り替えを行うモード切替処理をさらに実行するようにされる、
ことを特徴とする請求項１に記載の情報処理装置。
【請求項４】
上記演算手段は、
上記操作手段による所定の操作入力に応じて、上記複数項目のそれぞれを表す情報の一覧を表示した一覧画面が上記表示手段により表示されるように制御する一覧画面表示制御処理をさらに実行するようにされ、
上記ボリューム変更画面表示制御処理では、
上記一覧画面が表示されている状態で何れかの上記対応操作子による操作入力が行われたとき、当該操作入力が継続する間において上記ボリューム変更画面が表示されるように制御するようにされると共に、
さらに上記演算手段は、
上記操作入力が継続している対応操作子による操作入力が終了したことに応じて、上記表示手段による画面表示が、上記一覧画面に戻るように制御する画面変更制御処理を実行するようにされている、
ことを特徴とする請求項１に記載の情報処理装置。
【請求項５】
上記演算手段は、
上記操作手段による所定の操作入力に応じて、現在の表示値を設定値として確定するバリアブルモードと、設定値をプリセット値に確定するプリセットモードとの切り替えを行うモード切替処理をさらに実行するようにされると共に、
上記画面変更制御処理では、
上記バリアブルモード時に上記対応操作子の操作入力が終了した場合は、上記操作入力が終了した対応操作子と対応づけられた項目についての表示部分の少なくとも一部が、元の表示態様とは異なる所定の表示態様とされた上記一覧画面が表示されるように制御する、
ことを特徴とする請求項４に記載の情報処理装置。
【請求項６】
上記信号処理手段は、入力される映像信号について各種の映像信号処理を実行するように構成されており、
上記ボリューム変更画面表示制御処理では、
上記ボリューム変更画面として、上記設定値を表すための情報と共に、さらに所定の画像データが表示されるように制御するようにされる、
ことを特徴とする請求項２に記載の情報処理装置。
【請求項７】
上記演算手段は、
上記操作手段による所定の操作入力に応じて、現在の表示値を設定値として確定するバリアブルモードと、設定値をプリセット値に確定するプリセットモードとの切り替えを行うモード切替処理をさらに実行するようにされ、
上記ボリューム変更画面表示制御処理では、
上記バリアブルモード時においては、上記ボリューム変更画面における上記所定の画像データとして、上記信号処理手段の対応する項目についての設定値として現在の表示値を指示して信号処理を施させて得られた画像データが表示されるように制御する、
ことを特徴とする請求項６に記載の情報処理装置。
【請求項８】
上記演算手段は、
上記操作手段による所定の操作入力に応じて、現在の表示値を設定値として確定するバリアブルモードと、設定値をプリセット値に確定するプリセットモードとの切り替えを行うモード切替処理をさらに実行するようにされると共に、
上記一覧画面の上位階層となる上位階層画面を表示すべき状態となったとき、何れかの項目がバリアブルモードに切り替えられた状態にある場合は、上記上位階層画面における所定の領域に所定の情報が表示されるように制御する所定情報表示制御処理をさらに実行するようにされる、
ことを特徴とする請求項４に記載の情報処理装置。
【請求項９】
入力信号についての信号処理として、複数項目の信号処理をそれぞれ指示された設定値に基づき行うように構成された信号処理手段と、少なくとも１つの摺動操作子と上記複数項目の個々と一対一で対応づけられた複数の対応操作子とが設けられた操作手段と、表示手段とを備えた情報処理装置における情報処理方法であって、
何れかの上記対応操作子による操作入力が継続している間に、上記摺動操作子による操作入力が得られたことに応じて、上記操作入力が継続している対応操作子と対応づけられた項目の設定値を表すための情報として上記表示手段に表示される表示値が変更されるように制御する変更操作受付手順を備える、
ことを特徴とする情報処理方法。
【発明の詳細な説明】
【技術分野】
【０００１】
本発明は、情報処理装置と情報処理方法とに関する。
【背景技術】
【０００２】
例えば映像信号処理の分野などにおいて、ビデオレベルやクロマレベルといった各種のプロセスボリュームの調整を行う操作子としては、いわゆるダイヤル操作子やつまみ操作子のような、摺動する操作子を用いるということが行われる。
このような摺動操作子は、例えば単にボリュームアップキー／ダウンキーの２つの操作子によりボリューム調整を行う場合と比較すれば、その操作方向や操作量に応じて微調整から大まかな調整までを自由に且つ素早く行うことができるなどのメリットがあり、各種のボリューム調整に好適に用いることができる。
【０００３】
なお、関連する従来技術については以下の特許文献を挙げることができる。
【特許文献１】特開２００１−１７５３７８号公報
【特許文献２】特開平１０−２７５０４１号公報
【特許文献３】特開２００３−２０７８３３
【発明の開示】
【発明が解決しようとする課題】
【０００４】
ここで、設定項目が複数ある場合には、各項目ごとにそれぞれ対応する摺動操作子を設けるということが行われている。特に、一般家庭用途ではなく業務用などの分野で用いる装置においてはその傾向が強い。
このように各項目ごとにそれぞれ対応する摺動操作子を設けることによっては、対応するダイヤル操作子を操作することで即座に所望の設定項目についてボリューム調整を行うことができ、例えばメニュー画面から逐次設定項目を選択した上でその項目についての調整を行うなどといった手間が省かれる。
【０００５】
しかしながら、業務用の映像機器として、例えばポータブルタイプの映像編集機器などにおいては、操作子の実装スペースには限りがある。このことで、上述のようにして各項目ごとに専用の摺動操作子を設けるということが困難とされている。
【０００６】
このため、操作子の実装スペースを考慮しつつ、従来どおり各項目ごとに独立した操作子による操作感を損なわないようにすることが要請されている。
【課題を解決するための手段】
【０００７】
そこで、本発明では以上のような問題点に鑑み、情報処理装置として以下のように構成することとした。
つまり、入力信号についての信号処理として、複数項目の信号処理をそれぞれ指示された設定値に基づき行うように構成された信号処理手段を備える。
また、少なくとも１つの摺動操作子と上記複数項目の個々と一対一で対応づけられた複数の対応操作子とが設けられた操作手段と、表示手段と、演算手段とを備える。
そして、上記演算手段は、何れかの上記対応操作子による操作入力が継続している間に、上記摺動操作子による操作入力が得られたことに応じて、上記操作入力が継続している対応操作子と対応づけられた項目の設定値を表すための情報として上記表示手段に表示される表示値が変更されるように制御する変更操作受付処理を実行するようにされているものである。
【０００８】
上記構成によれば、ユーザは何れかの対応操作子（アサインキー）を押し続けて摺動操作子を操作することで、操作した対応操作子と対応づけられた項目の設定値について、少なくともその表示値を変更させることができる。つまり、このように対応操作子を押し続けて摺動操作子を操作することで、その対応操作子と対応づけられた項目の設定値を調整するための操作を行うことができる。
このようにして設定値を調整するための操作を、対応操作子を押しながらの摺動操作子の操作としたことで、従来のようにそれぞれの項目ごとの摺動操作子を設けずとも、あたかもそれら各項目ごとの摺動操作子を操作して各項目についてのボリューム調整を行っているような感覚を与えることができる。
【発明の効果】
【０００９】
このようにして本発明によれば、各項目のボリュームを調整するための操作を行うにあたって、従来のようにそれぞれの項目ごとの摺動操作子を設けずとも、あたかもそれら各項目ごとの摺動操作子を操作して各項目についてのボリューム調整を行っているような感覚を与えることができる。
すなわち、操作子の実装スペースが比較的少なく、それぞれの項目ごとの摺動操作子を設けられない場合にも、従来のように各項目ごとの摺動操作子を操作して各項目についてのボリューム調整を行っているような操作感を与えることができる。
【発明を実施するための最良の形態】
【００１０】
以下、発明を実施するための最良の形態（以下実施の形態とする）について説明していく。
【００１１】
−情報処理装置の構成−
図１は、本発明の情報処理装置の実施の形態である、記録再生装置１の外観を斜視図により示している。
実施の形態の記録再生装置１は、例えばテレビ放送業者や番組制作業者等が、撮影現場などにおいて撮影した映像についての編集を行う用途を想定して製造された、ポータブルタイプの業務用映像編集装置とされる。
【００１２】
この場合、記録再生装置１は、光ディスク記録媒体（後述する光ディスクＤ）に記録された映像データについての編集等を行うように構成されている。このため、記録再生装置１に対しては、光ディスク記録媒体を装填するための、図示するディスク装填部１２が設けられる。
また、記録再生装置１には、装填された光ディスクから再生した映像等を表示するための表示部１０も設けられている。
【００１３】
さらに、記録再生装置１に対しては、各種の情報入力や操作入力を行うための複数の操作子が設けられる。
本実施の形態の記録再生装置１に対しては、図示するようにサーチダイヤル１１ａ、RESETキー１１ｂ、SHIFTキー１１ｃ、MENUキー１１ｄ、STATUSキー１１ｅ、PREVキー１１ｆ、PLAYキー１１ｇ、NEXTキー１１ｈ、STOPキー１１ｉ、及びそれぞれ十字キーの一部を構成するようにされる左方向キー１１ｊ、右方向キー１１ｋが少なくとも備えられる。
【００１４】
上記サーチダイヤル１１ａは、回転摺動が可能な操作子であり、例えば映像データの再生スピードを可変するためなどに用いられる。また、特に実施の形態では、当該サーチダイヤル１１ａは各種映像信号処理の設定値を調整するための操作子としても用いられることになるがこのことについては後述する。
【００１５】
また、上記RESETキー１１ｂは各種設定についてのリセット指示などを行うための操作キーであり、また上記SHIFTキー１１ｃはいわゆるシフト操作として、このSHIFTキー１１ｃと或る操作キーを同時押しすることで、その操作キーに割り当てられた別の操作入力が可能となるようにすることができる。
【００１６】
また、上記MENUキー１１ｄは、通常動作時にはセットアップメニューの表示を指示するための操作キーとなり、上記STATUSキー１１ｅは各種の状態情報の表示を指示するための操作キーとされる。
さらに、上記PREVキー１１ｆ、NEXTキー１１ｈは、通常動作時にはそれぞれ再生時のクリップを前後させるための操作キーとなる。また、PLAYキー１１ｇは、通常動作時にはノーマル再生（１倍速再生）を指示するための操作キーとなり、STOPキー１１ｉは、記録／再生動作の停止を指示するための操作キーとして用いられる。
また左方向キー１１ｊ、右方向キー１１ｋは、それぞれ通常動作時にはカーソルの移動等を指示するための操作キーとして機能するようにされる。
【００１７】
なお、上記PREVキー１１ｆ、PLAYキー１１ｇ、NEXTキー１１ｈ、STOPキー１１ｉ、左方向キー１１ｊ、右方向キー１１ｋは、各種映像信号処理の設定値の調整時には、各種映像信号処理の項目とそれぞれ一対一で対応づけられた対応操作子（後述するアサインキー）となるが、このことについては後述する。
【００１８】
図２は、図１に示される記録再生装置１の内部構成を示したブロック図である。
なお、図２では、記録再生装置１の内部構成について、主に後述する実施の形態としての動作を行うために必要な部分のみを抽出して示しており、他の部分については省略している。
先ず、この図１においても、図１に示したディスク装填部１２が示されている。このディスク装填部１２に対しては、図示する光ディスクＤが装填される。
【００１９】
ここで、実施の形態の記録再生装置１が対応する光ディスクＤとしては、例えばレーザ波長λ＝４０５nm、ＮＡ（開口数）＝０．６５による記録再生が行われ、記録膜としては相変化膜を有するようにされてデータの書き換えが可能とされる。
記録容量としてはおよそ２３ＧＢ（ギガバイト）程度と、比較的大容量とされ、これによって業務用としての高解像度の映像にも対応できるようにされている。
以下では、光ディスクＤに対しては、主に映像データが記録されるものとして説明を続ける。
【００２０】
ディスク装填部１２に装填された光ディスクＤに対する記録／再生は、記録／再生部６によって行われるようになっている。
記録／再生部６は、光ディスクＤに記録されたデータの記録／再生を行うための構成として、光学ヘッド、スピンドルモータ、サーボ回路、及び再生データを得るためのデコーダ、記録データ生成のためのエンコーダなどを備えて構成される。
装填された光ディスクＤより再生したデータは、映像信号処理部７に供給されるようになっている。
また、装填された光ディスクＤに対し記録すべきデータは、映像信号処理部７から入力されるようになっている。
【００２１】
映像信号処理部７には、上記記録／再生部６により光ディスクＤから再生された映像データが入力されると共に、図示する映像入力端子Ｔvinからの映像データも入力可能とされる。
映像信号処理部７は、入力される映像データについて各種の映像信号処理（画像信号処理）を行うようにされる。具体的にこの場合は、ビデオレベル調整処理、クロマレベル調整処理、セットアップレベル調整処理、クロマフェーズ（位相）調整処理、システムフェーズ調整処理、シンクフェーズ調整処理の各処理を行うように構成されている。
映像信号処理部７は、後述するＣＰＵ（Central Processing Unit）２から各処理ごとに独立して指示される設定値に基づき、上記によるそれぞれの信号処理を実行するようにされる。
また、映像信号処理部７は、ＣＰＵ２からの指示に基づき、映像データに含まれるフレーム画像データを抽出し、その画像データに対し各種の信号処理を施すこともできるように構成されている。
【００２２】
映像信号処理部７の出力は、映像出力端子Ｔvoutに供給されると共に、分岐してキャラクタ発生器８にも供給されるようになっている。
キャラクタ発生器８は、映像信号処理部７からの入力データ（静止画像又は動画像）に対して自らが発生した文字やアイコン等のキャラクタを重畳することができるように構成される。
特に、本実施の形態の場合は、映像信号処理部７において行われる各種信号処理についての設定値をユーザが調整するためのＧＵＩ（Graphical User Interface）としてのキャラクタデータを生成するようにされる。
【００２３】
キャラクタ発生器８は、背景に映像信号処理部７からの入力データに基づく画像が表示され、その上にキャラクタが重ねられて表示されるように、キャラクタデータを重畳することができる。或いは、キャラクタのみが表示されるように画像データを生成することもできるようにされる。さらには、映像信号処理部７からの出力にキャラクタを重畳せずにそのまま出力することも可能とされる。
キャラクタ発生器８は、それらの動作の切替を、後述するＣＰＵ２からの指示に基づき行うようにされる。
【００２４】
キャラクタ発生器８からの出力データは、表示駆動部９に供給される。
表示駆動部９は、例えば液晶ディスプレイなどとされる表示部１０を、キャラクタ発生器８からの入力データに基づき表示駆動する。これによって表示部１０上にキャラクタ発生器８からの出力に基づく画像表示が行われるようになっている。
【００２５】
ＣＰＵ２は、起動されたプログラムに基づいて記録再生装置１の全体制御、演算処理を行う。例えば、図示する操作部１１に対する入力に応じた動作や、ディスク装填部１２に装填された光ディスクＤについての記録／再生動作、アクセス動作等を制御する。
例えばユーザが操作部１１を介して光ディスクＤに対する再生指示（図１のPLAYキー１１ｇの押圧操作）を行った場合、ＣＰＵ２は記録／再生部６に光ディスクＤの再生を指示する。すると記録／再生部６は光ディスクＤについてのアクセス動作や再生処理動作を実行し、これによって得られた再生データを映像信号処理部７に対して供給するようにされる。映像信号処理部７に供給された再生データ（映像データ）は、必要に応じて映像信号処理が施された後、キャラクタ発生器８に供給される。このとき、通常再生時であれば、ＣＰＵ２はキャラクタ発生器８に対して事前に映像データをそのまま出力する旨指示を行っておくようにされる。キャラクタ発生器８から出力された映像データは、表示駆動部９に供給され、この映像データに基づく表示部１０の駆動制御が行われる。これによって光ディスクＤから再生された映像データに基づく映像表示が行われるものとなる。
【００２６】
ＣＰＵ２には、図示するようにＲＯＭ（Read Only Memory）３、ＲＡＭ（Random Access Memory）４、フラッシュメモリ５が備えられる。
上記ＲＯＭ３には、ＣＰＵ２の動作プログラム、プログラムローダー等が記憶される。特に本実施の形態の場合、このＲＯＭ３内に格納されるプログラムとしては、後述する実施の形態としての動作を実現するための処理動作（図７〜図９）をＣＰＵ２に実行させるためのプログラムも格納される。
【００２７】
また、上記ＲＡＭ４には、ＣＰＵ２がプログラムを実行する上でのデータ領域、タスク領域が一時的に確保される。
また、上記フラッシュメモリ５は、データの書き換えが可能で且つ電源オフ後も記録したデータが保持される不揮発性メモリである。フラッシュメモリ５には例えば各種演算係数、プログラムで用いるパラメータ等が記憶される。
【００２８】
操作部１１は、先の図１に示した各種操作子（１１ａ〜１１ｋ）を包括的に示している。操作部１１は、各操作子ごとの操作入力情報をＣＰＵ２に供給する。ＣＰＵ２は操作部１１からの操作入力情報に応じた処理動作を実行し、これによってユーザの指示に応じた動作が実現されるようになっている。
【００２９】
−実施の形態としての動作−
ここで、実施の形態の記録再生装置１としては、映像信号処理部７が行う各種信号処理についての設定値（プロセスボリューム）を、操作入力に応じて調整することが可能とされる。
図３〜図６は、このような各種信号処理についてのプロセスボリュームの調整を行う上でユーザが行うべき操作手順について説明するための図である。これらの図では、ユーザが行うべき操作内容と、操作に応じた表示部１０上の画面遷移との双方を模式的に示している。
【００３０】
先ず、表示部１０上には、初期状態として、図３（ａ）に示されるようなスタート画面Ｇ１が表示されているものとする。
ユーザは、このスタート画面Ｇ１の表示時において、図示するようにしてSHIFTキー１１ｃとSTATUSキー１１ｅとの同時押し操作を行うことで、次の図３（ｂ）に示される設定モードトップ画面Ｇ２を表示部１０上に表示させることができる。
【００３１】
なお、図示するように、設定モードトップ画面Ｇ２の表示状態で、STATUSキー１１ｅの操作、或いは３０秒間の無操作状態が継続すると、表示部１０上の画面表示はスタート画面Ｇ１に戻るようにされる。
【００３２】
図３（ｂ）において、設定モードトップ画面Ｇ２には、図示する項目名表示領域Ａ１において、映像信号処理部７にて行われる各種信号処理の項目名を一覧表示するようにされている。つまりこの場合、項目名表示領域Ａ１には、図示するようにしてビデオレベル（図中「VIDEO」）、クロマレベル（「CHROMA」）、セットアップレベル（「SETUP」）、クロマフェーズ（「CHROMA-Ph」）、システムフェーズ（「SYS-Ph」）、シンクフェーズ（「SC-Ph」）の各項目名が一覧表示される。
【００３３】
また、設定モードトップ画面Ｇ２では、図示するＰＲＥ／ＶＡＲ表示領域Ａ２において、各項目ごとに、設定値としてプリセット値が確定されるプリセットモードであるのか、或いは調整された値に確定することが可能なバリアブルモードであるのかを示すための、ＰＲＥ／ＶＡＲ情報を表示するようにされている。
この場合、「ＰＲＥ」表示はプリセットモードであることを示し、「ＶＡＲ」表示はバリアブルモードであることを示すものとされる。
なお、これらプリセットモードとバリアブルモードとについては後述する。
【００３４】
さらに、図示するボリューム表示領域Ａ３には、各項目ごとの設定値を示すためのボリュームカーソルＣＲが表示される。各ボリュームカーソルＣＲは、図示するようにしてボリュームバー内に表示されて設定値を表すようにされる。
この場合、「VIDEO」の項目に対応するボリュームカーソルＣＲについてはボリュームカーソルＣＲ１と示している。以下同様に、「CHROMA」の項目についてはボリュームカーソルＣＲ２、「SETUP」の項目についてはボリュームカーソルＣＲ３、「CHROMA-Ph」の項目についてはボリュームカーソルＣＲ４、「SYS-Ph」の項目についてはボリュームカーソルＣＲ５、「SC-Ph」の項目についてはボリュームカーソルＣＲ６として示している。
【００３５】
また、設定モードトップ画面Ｇ２には、操作説明のための情報を表示するための領域として、図示する説明情報表示領域Ａ４が設けられている。この説明情報表示領域Ａ４内では、操作説明情報として、図示するように「KEY ASSIGN」「ADJUST」「PREST/VAR」「EXIT」の項目と、その項目に対応する動作を実現するために操作されるべき操作キーとの対応関係を示すようにされている。
この場合、「KEY ASSIGN」の項目は、後述するキーアサイン情報としての、項目名表示領域Ａ１に表示される項目とそれらを調整対象として選択するための操作キーとの対応関係を示す情報を表示する動作を表す項目とされる。
また、「ADJUST」は、設定値の調整動作を表す項目とされる。「PREST/VAR」は、上述したプリセットモードとバリアブルモードとの切替動作を表す項目であり、「EXIT」は当該設定モードトップ画面Ｇ２を抜けて図３（ａ）に示したスタート画面Ｇ１に戻る動作を表す項目である。
【００３６】
図示するようにして「KEY ASSIGN」の項目に対しては、「：」表示を挟んで「MENU」が表示され、キーアサイン情報を表示させるためにはMENUキー１１ｄを操作すればよいことが示されている。同様に、「ADJUST」の項目に対しては「：」表示を挟んで「KEY＋DIAL」が表示され、設定値を調整するためには、信号処理の項目が割り当てられた何れかの操作キー（アサインキーとも呼ぶ）を押しながらサーチダイヤル１１ａを操作すればよいことが示されている。
さらには、「PREST/VAR」の項目に対しては「：」表示を挟んで「KEY＋RESET」が表示され、プリセット／バリアブルのモード切替は、信号処理の項目が対応づけられた何れかのアサインキーを押しながらRESETキー１１ｂを操作すればよいことが示されている。
また、「EXIT」の項目に対しては「：」表示を挟んで「STATUS」が表示され、スタート画面Ｇ１に戻るためにはSTATUSキー１１ｅを操作すればよいことが示されている。
【００３７】
ユーザは、キーアサイン情報を表示させるとした場合は、上記した説明情報表示領域Ａ４の表示内容に基づき、設定モードトップ画面Ｇ２の表示状態でMENUキー１１ｄを操作するようにされる。すると、図示するように当該MENUキー１１ｄを押し続けている間は、図３（ｃ）に示すように、設定モードトップ画面Ｇ２の説明情報表示領域Ａ４内に上記キーアサイン情報として、それぞれの信号処理の項目名と、その項目を調整対象項目として選択するための操作キーとの対応関係を示す情報が表示される。
【００３８】
具体的に、この場合は、「PREV」に対して「：」を挟んで「VIDEO」の項目名が表示されており、PREVキー１１ｆを操作することで「VIDEO」の項目を調整対象項目として選択できることが示されている。
以下も同様に、「PLAY：CHROMA」、「NEXT：SETUP」、「STOP：CHROMA-Ph」、「→：SYS-Ph」、「←：SC-Ph」の表示により、PLAYキー１１ｇ操作は「CHROMA」の項目を、NEXTキー１１ｈ操作は「SETUP」の項目、STOPキー１１ｉ操作は「CHROMA-Ph」の項目を、右方向キー１１ｋ操作は「SYS-Ph」の項目を、左方向キー１１ｊ操作は「SC-Ph」の項目を、それぞれ調整対象項目として選択できることが示されている。
【００３９】
なお確認のために述べておくと、ユーザは、MENUキー１１ｄをはなすことで、説明情報表示領域Ａ４の内容を図３（ｂ）に示す内容に戻すことができる。
【００４０】
ここで、上記説明からも理解されるように、本実施の形態では、各信号処理の設定値の調整は、予め信号処理の項目と一対一で対応づけられた操作キー（アサインキー）を押しながら、サーチダイヤル１１ａを操作することで行うものとしている。
【００４１】
具体的な操作として、先ずユーザは、設定モードトップ画面Ｇ２上で一覧表示される何れかの項目を調整対象の項目として選択するとした場合には、何れかのアサインキーを操作するようにされる。
ここでは一例として、アサインキーはPREVキー１１ｆが操作され、「VIDEO」の項目（ビデオレベル）が調整対象項目として選択される場合を例に説明を続ける。
【００４２】
アサインキーが操作されたことに応じては、次の図３（ｄ）に示されるボリューム変更画面Ｇ３が表示される。この場合は、上記のようにしてPREVキー１１ｆが操作されたことに応じ、ボリューム変更画面Ｇ３としては、「VIDEO」の項目に対応した画面が表示されることになる。
【００４３】
図示するように、ボリューム変更画面Ｇ３では、操作されたアサインキーと対応づけられた項目について、その項目名情報Ａ１-1、ＰＲＥ／ＶＡＲ情報Ａ２-1、及びボリュームバーＡ３-1、ボリュームカーソルＣＲ、設定値情報Ａ５が表示される。
さらに、これらの表示の背景には、所定の画像データが表示されることになる。この背景の画像データは、この場合は例えばディスク装填部５に装填された光ディスクＤから再生された映像データ中の所定のフレーム画像データ（例えば先頭のフレーム画像データ）が表示されるものとなっている。
この背景画像は、後述するように調整された設定値が反映された場合の画像データの変化をユーザが確認できるようにするために表示するようにされている。
【００４４】
ここで、注意すべきは、本実施の形態の場合、アサインキーが押されている間にのみ、上記ボリューム変更画面Ｇ３が表示されるということである。つまりユーザは、アサインキーを押している間にのみ、そのアサインキーと対応づけられた項目を調整対象項目として選択し続けることができるようにされている。
【００４５】
続いて、図４、図５では、このように調整対象項目に選択した項目についてその設定値を変更するための操作手順について説明する。なお、これらの図においても、ユーザにより行われるべき操作内容とそれに応じて表示部１０上に表示される画面の遷移とを模式的に示している。
【００４６】
先ず、図４（ａ）では、図３（ｄ）に示したボリューム変更画面Ｇ３と同じものを示している。つまり、この場合はPREVキー１１ｆを押し続けて、「VIDEO」の項目を調整対象項目として選択している間の表示画面である。
この図４（ａ）から次の図４（ｂ）への遷移として示されるように、ユーザは、アサインキーを押し続けて調整対象項目を選択している間に、さらにサーチダイヤル１１ａを操作することで、その操作方向・操作量に応じて、ボリューム変更画面Ｇ３に表示されるボリュームバーＡ３-1内のボリュームカーソルＣＲの位置を動かすことができる。
さらに、このようにアサインキーを押している間のサーチダイヤル１１ａの操作に応じては、設定値情報Ａ５として表示される値も、操作方向・操作量に応じて変化することになる。
【００４７】
但し、本実施の形態の場合、このようにボリューム変更画面Ｇ３上で設定値を表す表示値としての、ボリュームカーソルＣＲ位置や設定値情報Ａ５の値が更新されたとしても、実際に映像信号処理部７に指示される設定値が直ちに更新されることはない。
つまり、この図４（ｂ）の段階では、図中ＰＲＥ／ＶＡＲ情報Ａ２-1が「ＰＲＥ」となっており、現在のモードがプリセットモードとされているからである。このプリセットモード時には、ボリューム変更画面Ｇ３に表示されるボリュームカーソルＣＲの位置や設定値情報Ａ５の値による表示値の値に関わらず、設定値としてはプリセット値が確定された状態にあることとなる。
【００４８】
この場合、設定値を変更した表示値に更新（確定）させるためには、バリアブルモードに切り替える必要がある。ユーザは、プリセットモードとバリアブルモードとの切り替えを指示するとしたときは、アサインキーを押し続けた状態で、RESETキー１１ｂを操作する。
【００４９】
これに応じ、ボリューム変更画面Ｇ３上では、次の図４（ｃ）に示されるように、図４（ｂ）ではＰＲＥ／ＶＡＲ情報Ａ２-1が「ＰＲＥ」であったものが「ＶＡＲ」となり、バリアブルモードに切り替わったことが示されるようになる。
そして、このようにバリアブルモードへの切り替えが行われたことに応じて、実際に映像信号処理部７に指示される設定値が、ボリュームカーソルＣＲ・設定値情報Ａ２-1による現在の表示値に応じた値に更新（確定）されることになる。
【００５０】
また、このようにして設定値が表示値に更新されたことに応じて、ボリューム変更画面Ｇ３に背景画像として表示される画像は、更新された設定値を反映した画像に更新されるようになる。
【００５１】
つまり、このようにバリアブルモードへの切り替えが行われて、映像信号処理部７の対応する信号処理の設定値として指示すべき値が表示値に応じて更新されたことに応じ、ＣＰＵ２は、更新した設定値としての値を、操作中のアサインキーと対応づけられた項目（信号処理）の設定値として映像信号処理部７に指示し、表示中の画像データと同じ画像データについて再度この新たな設定値に基づく信号処理を実行させる。キャラクタ発生器８は、このように映像信号処理部７にて新たな設定値に基づき生成された画像データに対しキャラクタデータを重畳するようにされる。これによってボリューム変更画面Ｇ３の背景画像が、設定値を反映した画像に更新されるようになる。
【００５２】
また、図４（ｃ）において、バリアブルモードに切り替えられたことに応じては、項目名情報Ａ１-1、ＰＲＥ／ＶＡＲ情報Ａ２-1が、図４（ｂ）のプリセットモード時とは異なる表示態様により表示されることになる。この場合は、例えば項目名情報Ａ１-1とＰＲＥ／ＶＡＲ情報Ａ２-1を表示すべき領域が、それぞれ図示するように色つきで表示されるようになる。
このようにしてバリアブルモードへの切り替えに応じてプリセットモード時とは異なる表示態様で項目名情報Ａ１-1、ＰＲＥ／ＶＡＲ情報Ａ２-1が表示されることで、「ＶＡＲ」表示への変更のみを行うとしたときよりも、バリアブルモードにあることをさらに強調して示すことができる。
【００５３】
また、ユーザは、図４（ｃ）の状態からプリセットモードに戻したいとしたときは、アサインキーを押している間に再度RESETキー１１ｂを操作する。これにより、表示部１０上の画面表示状態を、図４（ｂ）の状態に戻すことができる。すなわち、このような再度のRESETキー１１ｂの操作に応じた図４（ｃ）→図４（ｂ）への遷移としては、ボリューム変更画面Ｇ３のＰＲＥ／ＶＡＲ情報Ａ２-1を「ＶＡＲ」から「ＲＲＥ」へ、また項目名情報Ａ１-1、ＰＲＥ／ＶＡＲ情報Ａ２-1の表示態様を元の表示態様に戻すようにされる。
【００５４】
ここで注意すべきは、このようなプリセットモードへの切り替え時には、ボリュームカーソルＣＲの位置及び設定値情報Ａ５の値は、そのままの状態とするということである。
このようにして、プリセットモードへの切り替えが行われても、変更された表示値をそのまま残すようにしておけば、以前の設定値をユーザに通知することができる。
【００５５】
またユーザは、これまで押し続けていたアサインキーをはなすことで、先に説明した設定モードトップ画面Ｇ２に戻ることができる。
例えば、図４（ｃ）に示したように、バリアブルモードへの切り替えが行われ、且つサーチダイヤル１１ａの操作により設定値の変更が行われた状態からアサインキーがはなされた場合、表示部１０上には、次の図４（ｄ）に示すような表示態様による設定モードトップ画面Ｇ２が表示されることになる。
【００５６】
図４（ｄ）において、この場合の設定モードトップ画面Ｇ２では、上記のようにしてアサインキーを押した状態でのバリアブルモードへの切り替えが行われたことに応じて、そのアサインキーと対応する項目（この場合は「VIDEO」の項目）についてのＰＲＥ／ＶＡＲ情報が「ＶＡＲ」に変更される。
さらに、操作されていたアサインキーと対応する項目の項目名の情報と、この「ＶＡＲ」表示とが、色付きにより表示される。
このようにして項目一覧表示が行われる設定モードトップ画面Ｇ２においても元の表示態様とは異なる表示態様により項目名・「ＶＡＲ」の表示が行われることで、この設定モードトップ画面Ｇ２においてもバリアブルモードに切り替えられた項目をより強調して示すことができる。
【００５７】
また、操作されていたアサインキーと対応する項目のボリュームカーソルＣＲの位置としては（図の例ではＣＲ１）、アサインキーがはなされた時点でボリューム変更画面Ｇ３上で表示されていたボリューム位置と同じボリューム位置により表示されることになる。
【００５８】
ところで、図４中の「Ｚ」により示される設定値の変更の操作手順としては、サーチダイヤル１１ａによる表示値の変更と、RESETキー１１ｂの操作によるバリアブルモードへの切り替えとを逆順としても行うことができる。
【００５９】
次の図５では、このような設定値の変更のための他の操作手順と、操作に応じた表示部１０上の画面遷移とを模式的に示している。
先ず図５（ａ）では、先の図４（ａ）と同じのボリューム変更画面Ｇ３を示しているが、このように何れかのアサインキーを押し続けて何れかの項目についてのボリューム変更画面Ｇ３を表示させている状態で、先ずはRESETキー１１ｂを先に操作することで、サーチダイヤル１１ａによる変更操作を行う前にバリアブルモードへの切り替えを行うこともできる（図５（ｂ）参照）。
そして、図５（ｂ）に示されるようにバリアブルモードへの切り替えが行われてから、アサインキーを押し続けた状態でサーチダイヤル１１ａを操作して、次の図５（ｃ）に示されるようにしてボリュームカーソルＣＲと設定値情報Ａ５の値とを変更させることができる。
【００６０】
確認のために述べておくと、図５（ｃ）ではバリアブルモードに切替後であるので、サーチダイヤル１１ａの操作に応じては、設定値は変更された表示値に応じて逐次更新され、且つ背景画像は更新された設定値を反映した画像に逐次更新されるものとなる。
【００６１】
この図５（ｃ）に示す状態から、この場合もそれまで押し続けていたアサインキーをはなすことで、先の図４（ｄ）に示した設定モードトップ画面Ｇ２に戻ることができる。
【００６２】
図６（ａ）は、図４（ｄ）に示したように、何れかの項目がバリアブルモードとされた状態での設定モードトップ画面Ｇ２を示している。
先にも説明したように、設定モードトップ画面Ｇ２表示状態で、STATUSキー１１ｅの操作が行われるか、或いは３０秒間無操作状態が継続すると、スタート画面Ｇ１に戻るようにされる。
図６（ａ）のように、何れかの項目がバリアブルモードとされた状態での設定モードトップ画面Ｇ２から、スタート画面Ｇ１に戻るときは、スタート画面Ｇ１上には、例えば図中「Ｘ」と示すような所定領域に対して、「ＰＲＯＣ（Process）」表示が行われる。
この「ＰＲＯＣ」表示を行うことで、スタート画面Ｇ１においても（つまり下の階層に降りなくても）、バリアブルモードに切替（設定値変更）が行われた項目があることをユーザに通知することができる。
【００６３】
また、この場合も当該「ＰＲＯＣ」の表示領域は色付き表示するものとしている。これにより、この場合としてもバリアブルモードに切替（設定値変更）られた項目があることをより強調して示すことができる。
【００６４】
−処理動作−
続いては、次の図７〜図９のフローチャートを参照して、これまでで説明した実施の形態としての動作を実現するために行われるべき処理動作について説明する。
なお、これらの図に示す処理動作は、図２に示したＣＰＵ２がＲＯＭ３内に格納されるプログラムに基づいて実行するものである。
【００６５】
先ず図７は、主に設定モードトップ画面Ｇ２の表示処理と、その表示状態で行われた操作入力に応じて行われるべき処理動作について示している。
なお、この図７においては、既に表示部１０上に先の図３（ａ）または図６（ｂ）に示したようなスタート画面Ｇ１が表示された状態にあることとする。
【００６６】
先ずステップＳ１０１では、SHIFTキーとSTATUSキーとの同時押し操作を待機するようにされる。つまり、スタート画面Ｇ１の表示状態で、SHIFTキー１１ｃとSTATUSキー１１ｅとの同時押し操作が行われるのを待機するようにされる。
【００６７】
そして、SHIFTキー１１ｃとSTATUSキー１１ｅとの同時押し操作が行われた場合には、ステップＳ１０２において、設定モードトップ画面の表示処理を行うようにされる。
すなわち、キャラクタ発生器８に対する指示を行って、先の図３（ｂ）又は図４（ｄ）に示したような設定モードトップ画面Ｇ２としての画面データを生成させ、この画面データに基づく画面表示が表示駆動部９の表示駆動により表示部１０上で行われるようにする。
【００６８】
ここで、ＣＰＵ２は、前回表示された設定モードトップ画面Ｇ２の画面データ内容（バリアブルモードとされた項目、各項目のボリュームカーソルＣＲの位置）を例えばフラッシュメモリ５に保持しておくようにされており、当該ステップＳ１０２の設定モードトップ画面Ｇ２の表示処理時には、これらの画面データ内容の情報をキャラクタ発生器８に指示して、前回表示した画面内容を反映した設定モードトップ画面Ｇ２の表示が為されるようにされている。
【００６９】
続くステップＳ１０３、Ｓ１０４、Ｓ１０５によっては、SHIFTキー操作、MENUキー操作、何れかのアサインキー操作のうちの、何れかを待機するループが形成される。
【００７０】
先ず、ステップＳ１０３において、STATUSキー１１ｃに対する操作が行われたとして肯定結果が得られた場合は、ステップＳ１０６に進み、ＶＡＲフラグ＝１の設定項目があるか否かについて判別処理を行うようにされる。
【００７１】
ここで、後述するようにしてＣＰＵ２としては、各項目について、プリセットモード／バリアブルモードの別を識別するためのフラグ（ＶＡＲフラグと呼ぶ）を記録するものとしている。具体的に、このＶＡＲフラグとしては、バリアブルモードへの切り替えが行われたことに応じて、その項目についてのＶＡＲフラグとして「１」を記録し、逆にプリセットモードへの切り替えが行われた場合には、その項目についてのＶＡＲフラグとして「０」を記録しておくものとされる（後の図８中ステップＳ１１５にて肯定結果が得られた以降の処理を参照）。
【００７２】
上記ステップＳ１０６において、このＶＡＲフラグの値が「１」の設定項目がないとして否定結果が得られた場合には、ステップＳ１０７に進み、スタート画面の表示処理を行うようにされる。
すなわち、ＶＡＲフラグ＝１の設定項目が１つもないということは、バリアブルモードに切替が行われた項目が１つもないということになるので、この場合のSTATUSキー１１ｃの操作に応じては、通常のスタート画面Ｇ１（つまり図３（ａ）に示したような「ＰＲＯＣ」表示のないスタート画面Ｇ１）が表示されるように、キャラクタ発生器８に対する指示を行うようにされる。
【００７３】
一方、ＶＡＲフラグ＝１の設定項目が有るとして肯定結果が得られた場合は、ステップＳ１０８に進み、ＰＲＯＣ表示によるスタート画面の表示処理を行うようにされる。
すなわち、ＶＡＲフラグ＝１の設定項目があり、バリアブルモードへの切替が行われた項目が１つでもあるとされた場合は、STATUSキー１１ｃの操作に応じて、図６（ｂ）に示したような「ＰＲＯＣ」色付き表示によるスタート画面Ｇ１が表示されるようにキャラクタ発生器８に対する指示を行うようにされる。
【００７４】
続いて、先のステップＳ１０４において、MENUキー１１ｄに対する操作が行われたとして肯定結果が得られた場合には、図示するようにステップＳ１０９に進み、キーアサイン情報への表示変更処理を行うようにされる。
つまり、設定モードトップ画面Ｇ２内の説明情報表示領域Ａ４内の表示内容が、図３（ｃ）に示したようなキーアサイン情報に変更されるようにキャラクタ発生器８に対する指示を行う。
【００７５】
続くステップＳ１１０では、MENUキー操作の終了を待機するようにされる。そして、MENUキー１１ｄの操作が終了したとされた場合は、ステップＳ１１１において、操作説明情報表示に戻すための処理を実行するようにされる。つまり、説明情報表示領域Ａ４内の表示内容が、図３（ｂ）に示したような操作説明情報に変更されるようにキャラクタ発生器８に対する指示を行う。
これらステップＳ１０９〜Ｓ１１１の一連の処理により、設定モードトップ画面Ｇ２の表示状態でMENUキー１１ｄが操作されている間、説明情報表示領域Ａ４内にキーアサイン情報が表示されることになる。
ステップＳ１１１の処理を実行すると、先のステップＳ１０３に戻るようにされる。
【００７６】
また、先のステップＳ１０５において、何れかのアサインキーが操作されたとして肯定結果が得られた場合は、ステップＳ１１２に進み、該当する項目のボリューム変更画面Ｇ３の表示処理を実行するようにされる。
ここで、このようなボリューム変更画面Ｇ３についても、ＣＰＵ２は前回表示された画面データ内容（バリアブルモードであるか否か、ボリュームカーソルＣＲの位置、及び設定値情報Ａ５の値）を例えばフラッシュメモリ５に保持しておくようにされており、当該ステップＳ１１２のボリューム変更画面Ｇ３の表示処理時には、操作されたアサインキーと対応づけられた項目について、このようにセーブされているボリューム変更画面Ｇ３の画面データ内容の情報をキャラクタ発生器８に指示して、前回の表示内容を反映したボリューム変更画面Ｇ３の表示が為されるようにされている。
このステップＳ１１２の表示処理を行うと、次の図８に示されるステップＳ１１３に処理を進めるようにされる。
【００７７】
図８は、主にボリューム変更画面Ｇ３の表示状態での操作入力に応じて行われるべき処理動作について示している。
図８において、ステップＳ１１３、Ｓ１１４、Ｓ１１５によっては、アサインキー操作終了、サーチダイヤル操作、リセットキー操作の何れかを待機するループが形成されている。
【００７８】
先ず、上記ステップＳ１１４において、サーチダイヤル１１ａが操作されたとして肯定結果が得られた場合には、ステップＳ１１６に進み、操作方向／量に応じてボリュームカーソルＣＲ位置を移動させ、且つ設定値表示を更新するための処理を実行するようにされる。
つまり、表示中のボリューム変更画面Ｇ３におけるボリュームカーソルＣＲの位置が、サーチダイヤル１１ａの操作方向／量に応じた位置に更新され、且つ設定値情報Ａ５の値としてもサーチダイヤル１１ａの操作方向／量に応じた値に更新されるように、キャラクタ発生器８に対する指示を行う。
【００７９】
そして、次のステップＳ１１７では、ＶＡＲフラグ＝１であるか否かの判別処理を実行するようにされる。
ＶＡＲフラグ＝１ではない、すなわちアサインキー操作により現在調整対象項目に選択されている項目がプリセットモードであるとされて否定結果が得られた場合には、ステップＳ１１８に進み、表示値を保持する処理を実行する。具体的には、先のステップＳ１１６の処理によりサーチダイヤル１１ａの操作に応じて変更し、ボリュームカーソルＣＲの位置・設定値情報Ａ５の値として表示した値を、映像信号処理部７の設定値として指示すべき値として例えばフラッシュメモリ５に保持する処理を実行する。
このステップＳ１１８の処理を実行すると、先のステップＳ１１３に戻るようにされ、これによって再度アサインキー操作の終了、サーチダイヤル操作、リセットキー操作の何れかを待機するようにされる。
【００８０】
一方、上記ステップＳ１１７において、ＶＡＲフラグ＝１である、すなわちアサインキー操作により現在調整対象項目に選択されている項目がバリアブルモードであるとされた場合は、ステップＳ１１９に進み、先のステップＳ１１８と同様の処理を行って表示値を保持するようにされる。
【００８１】
そして、続くステップＳ１２０では、表示値に基づき設定値を更新するための処理を実行する。すなわち、映像信号処理部７に設定される設定値のうち、操作されているアサインキーと対応づけられた項目の設定値が、ステップＳ１１９にて保持した表示値に基づき更新されるように、映像信号処理部７に対する制御を行う。
【００８２】
その上で、ステップＳ１２１では、設定値を反映した画像に更新するための処理を実行するようにされる。つまり、現在ボリューム変更画面Ｇ３にて表示されている背景画像が、設定値を反映した画像に更新されるようにするための処理を実行する。
具体的には、上記のようにして新たな設定値が設定された映像信号処理部７に対し、表示中の画像データと同じ画像データについて再度信号処理を実行させるように指示を行う。これによってキャラクタ発生器８は、このように映像信号処理部７にて新たな設定値に基づき生成された画像データに対しキャラクタデータを重畳するようにされる。これによってボリューム変更画面Ｇ３の背景画像が、新たな設定値を反映した画像に更新されるようになる。
このステップＳ１２１の処理を実行すると、先のステップＳ１１３に戻るようにされる。
【００８３】
なお、確認のために述べておくと、上記により説明したステップＳ１１４→Ｓ１１６→Ｓ１１７→Ｓ１１８の一連の処理によっては、プリセットモード時においてサーチダイヤル１１ａが操作された場合には、ボリューム変更画面Ｇ３におけるボリュームカーソルＣＲ位置及び設定値情報Ａ５の値が操作方向／量に応じて更新されるのみで、背景画像はプリセット値に基づく画像が表示され続ける動作が実現されることになる（例えば図４（ａ）→図４（ｂ）の画面遷移を参照）。
一方、ステップＳ１１４→Ｓ１１６→Ｓ１１７→Ｓ１１９→Ｓ１２０→Ｓ１２１の一連の処理によっては、バリアブルモード時においてサーチダイヤル１１ａが操作された際には、ボリューム変更画面Ｇ３におけるボリュームカーソルＣＲ位置及び設定値情報Ａ５の値が操作方向／量に応じて更新され、且つ背景画像が更新された設定値を反映した画像に更新される動作が実現される（例えば図５（ｂ）→図５（ｃ）の画面遷移を参照）。
【００８４】
また、先のステップＳ１１５において、リセットキー１１ｂが操作されたとして肯定結果が得られた場合は、ステップＳ１２２に進み、ＶＡＲフラグ＝１であるか否かについての判別処理を行うようにされる。
ＶＡＲフラグ＝１ではない、すなわちアサインキー操作により現在調整対象項目に選択されている項目がプリセットモードであるとされて否定結果が得られた場合には、ステップＳ１２３に進み、表示値に基づき設定値を更新する処理を実行するようにされる。つまり、先のステップＳ１１８又はＳ１１９にて保持された表示値が、映像信号処理部７の該当する項目の設定値として設定されるように制御処理を行う。
【００８５】
続くステップＳ１２４では、ＰＲＥ／ＶＡＲ表示をＶＡＲ、設定項目名とＶＡＲ表示を色付き表示するための処理を実行する。すなわち、現在表示中のボリューム変更画面Ｇ３のＰＲＥ／ＶＡＲ情報Ａ２-1が「ＶＡＲ」となり、且つ項目名情報Ａ１-1とこのように「ＶＡＲ」表示とされたＰＲＥ／ＶＡＲ情報Ａ２-1との双方の表示領域が色付き表示されるように、キャラクタ発生器８に対する指示を行う。
【００８６】
ステップＳ１２５では、設定値を反映した画像に更新するための処理を実行する。この更新処理としては、先のステップＳ１２１で説明したものと同様の処理を実行する。
その上で、ステップＳ１２６では、ＶＡＲフラグ＝１とする処理を実行する。つまり、現在操作中のアサインキーと対応づけらた項目のＶＡＲフラグを「０」から「１」に更新する。
このステップＳ１２６の処理を実行すると、先のステップＳ１１３に戻るようにされる。
【００８７】
なお、このような各項目ごとのＶＡＲフラグは、例えばＲＡＭ４かフラッシュメモリ５に対して記録するようにされている。
【００８８】
これらステップＳ１１５→Ｓ１２２→Ｓ１２３→Ｓ１２４→Ｓ１２５→Ｓ１２６の一連の処理によって、アサインキーを押した状態でのリセットキー１１ｂ操作によりプリセットモードからバリアブルモードへの変更が行われた場合に、ボリューム変更画面Ｇ３上のＰＲＥ／ＶＡＲ情報Ａ２-1を「ＶＡＲ」表示として項目名情報Ａ１-1とこの「ＶＡＲ」表示とを色付き表示し、且つ背景画像を表示値に基づき更新された設定値を反映した画像に更新する動作が実現されることになる（例えば図４（ｂ）→図４（ｃ）への画面遷移、及び図５（ａ）→図５（ｂ）への画面遷移を参照）。
【００８９】
一方、上記ステップＳ１２２において、ＶＡＲフラグ＝１である、すなわちアサインキー操作により現在調整対象項目に選択されている項目がバリアブルモードであるとされた場合は、ステップＳ１２７に進み、ＰＲＥ／ＶＡＲ表示を「ＰＲＥ」、設定項目名と「ＰＲＥ」表示とを通常表示するための処理を実行する。
すなわち、現在表示中のボリューム変更画面Ｇ３のＰＲＥ／ＶＡＲ情報Ａ２-1が「ＰＲＥ」となり、且つ項目名情報Ａ１-1とこのように「ＰＲＥ」表示とされたＰＲＥ／ＶＡＲ情報Ａ２-1の表示領域とが通常表示（つまり元の表示態様での表示）されるように、キャラクタ発生器８に対する指示を行う。
【００９０】
そして、続くステップＳ１２８では、設定値をプリセット値に更新する処理を実行する。つまり、現在操作中のアサインキーと対応づけられた項目の設定値が予め定められたプリセット値に更新されるように、映像信号処理部７に対する指示を行う。
【００９１】
さらに、ステップＳ１２９では、プリセット値に基づく画像の表示を行うための処理を実行する。つまり、上記のようにしてプリセット値が設定値として設定された映像信号処理部７に対し、表示中の画像データと同じ画像データについて再度信号処理を実行させるように指示を行う。これによってキャラクタ発生器８は、このように映像信号処理部７にてプリセット値に基づき生成された画像データに対しキャラクタデータを重畳するようにされる。これによってボリューム変更画面Ｇ３の背景画像が、プリセット値を反映した画像に更新されるようになる。
【００９２】
続くステップＳ１３０においては、ＶＡＲフラグ＝０とする処理を実行する。すなわち、現在操作中のアサインキーと対応づけらた項目のＶＡＲフラグを「１」から「０」に更新するものである。
このステップＳ１３０の処理を実行すると、先のステップＳ１１３に戻るようにされる。
【００９３】
これらステップＳ１１５→Ｓ１２２→Ｓ１２７→Ｓ１２８→Ｓ１２９→Ｓ１３０の一連の処理によって、アサインキーを押した状態でのリセットキー１１ｂの操作によりバリアブルモードからプリセットモードへの変更が行われた場合に、ボリューム変更画面Ｇ３上のＰＲＥ／ＶＡＲ情報Ａ２-1を「ＰＲＥ」表示として項目名情報Ａ１-1とこの「ＰＲＥ」表示とを通常表示し、且つ背景画像をプリセット値を反映した画像に更新する動作が実現されることになる（例えば図４（ｃ）→図４（ｂ）への画面遷移、及び図５（ｂ）→図５（ａ）への画面遷移を参照）。
【００９４】
また、上記したステップＳ１１３において、アサインキー操作が終了したとして肯定結果が得られた場合は、図示するようにしてステップＳ１３１以下の処理を実行して、設定モードトップ画面Ｇ２に戻るための処理を実行するようにされる。
【００９５】
先ず、ステップＳ１３１では、ＶＡＲフラグ＝１であるか否かについて判別処理を行うようにされる。ＶＡＲフラグ＝１であるとして肯定結果が得られた場合は、ステップＳ１３２に進み、該当する項目のＰＲＥ／ＶＡＲ表示を「ＶＡＲ」、項目名と「ＶＡＲ」表示とを色付き表示とした設定モードトップ画面Ｇ２の表示処理を行う。
つまり、ＰＲＥ／ＶＡＲ表示領域Ａ２のＰＲＥ／ＶＡＲ情報うち、操作が終了したアサインキーと対応づけられた項目のＰＲＥ／ＶＡＲ情報が「ＶＡＲ」に変更され、また操作が終了したアサインキーと対応づけられた項目の項目名の情報とこの「ＶＡＲ」表示とが色付きにより表された設定モードトップ画面Ｇ２が表示されるように、キャラクタ発生器８に対する指示を行う。
【００９６】
なお、この場合の設定モードトップ画面Ｇ２上での、操作が終了したアサインキーと対応づけられた項目のボリュームカーソルＣＲの位置としては、先に説明したようにして、アサインキー操作が終了した時点でボリューム変更画面Ｇ３上で表示されていたボリューム位置と同じボリューム位置により表示されるように、キャラクタ発生器８に対する指示を行うようにされる。
【００９７】
このステップＳ１３１の処理を実行すると、先の図７に示したステップＳ１０３に戻るようにされ、これによって設定モードトップ画面Ｇ２の表示状態で再度、STATUSキー操作、MENUキー操作、何れかのアサインキー操作、の何れかを待機するようにされる。
【００９８】
また、上記ステップＳ１３１において、ＶＡＲフラグ＝１ではないとして否定結果が得られた場合は、ステップＳ１３３に進み、該当する項目のＰＲＥ／ＶＡＲ表示を「ＰＲＥ」、項目名と「ＰＲＥ」表示とを通常表示とした設定モードトップ画面Ｇ２の表示処理を行う。
つまり、先のステップＳ１３２とは逆に、ＰＲＥ／ＶＡＲ表示領域Ａ２のＰＲＥ／ＶＡＲ情報うち、操作が終了したアサインキーと対応づけられた項目のＰＲＥ／ＶＡＲ情報が「ＰＲＥ」に変更され、また操作が終了したアサインキーと対応づけられた項目の項目名の情報とこの「ＰＲＥ」表示とが元の表示態様とされた設定モードトップ画面Ｇ２が表示されるように、キャラクタ発生器８に対する指示を行う。
なお、この場合も、設定モードトップ画面Ｇ２上での操作が終了したアサインキーと対応づけられた項目のボリュームカーソルＣＲの位置としては、アサインキー操作が終了した時点でボリューム変更画面Ｇ３上で表示されていたボリューム位置と同じボリューム位置により表示されるように、キャラクタ発生器８に対する指示を行うようにされる。
このステップＳ１３３の処理を実行した場合も、先の図７に示したステップＳ１０３に戻るようにされる。
【００９９】
また、図９は、無操作状態の継続時間に応じてスタート画面Ｇ１に自動的に戻るための自動画面変更処理について示している。なお、この図９に示す処理動作は、図７、図８に示した処理動作と並行してＣＰＵ２が実行するものである。また、確認のために述べておくと、この図９に示す処理動作としても、ＣＰＵ２がＲＯＭ３に格納されるプログラムに基づいて実行するものとされる。
【０１００】
図９において、先ずステップＳ２０１では、設定モードトップ画面が表示されるのを待機するようにされる。先の図７に示したステップＳ１０２、或いは図８に示したステップＳ１３２若しくはＳ１３３の処理が実行されて、設定モードトップ画面Ｇ２が表示されたとして肯定結果が得られた場合は、ステップＳ２０２において、タイムカウントをスタートするようにされる。
【０１０１】
次のステップＳ２０３とステップＳ２０４の処理によっては、操作入力と、３０秒経過との何れかを待機するループが形成される。
ステップＳ２０３において、操作部１１による何らかの操作入力が得られたとして肯定結果が得られた場合は、図示するように「ＲＥＴＵＲＮ」となり、再びステップＳ２０１において設定モードトップ画面の表示を待機するようにされる。
【０１０２】
一方、ステップＳ２０４において、３０秒が経過したとして肯定結果が得られた場合は、ステップＳ２０５に進み、スタート画面に戻るための処理を実行する。
ここで、図示による説明は省略したが、このステップＳ２０４としても、先の図７ステップＳ１０６のようにＶＡＲフラグ＝１の項目があるか否かを判別し、その判別結果に応じて「ＰＲＯＣ」表示によるスタート画面Ｇ１の表示処理、又は「ＰＲＯＣ」表示のないスタート画面Ｇ１の表示処理を実行するようにされる。
【０１０３】
なお、ここでは、このように無操作状態の継続時間に応じてスタート画面に自動的に戻るための自動画面変更処理が図７、図８に示した処理と並行して行われる場合を例示したが、このような自動画面変更処理を図７、図８に示した処理に組み込むことも勿論可能である。
また、スタート画面に戻る条件としての、無操作状態の継続時間を３０秒に設定するものとしたが、その秒数は他の秒数に設定することもできる。
【０１０４】
以上で説明してきたように本実施の形態では、予め映像信号処理部７の信号処理の項目と一対一で対応づけられたアサインキーの操作入力が継続されている間にサーチダイヤル１１ａを回す操作が行われることに応じて、そのアサインキーと対応づけられた項目の設定値について、少なくともその表示値を変更するようにされている。
これによりユーザは、何れかのアサインキー（対応操作子）を押し続けてサーチダイヤル１１ａ（摺動操作子）を操作することで、操作したアサインキーと対応づけられた項目の設定値について調整するための操作を行うことができる。
このようにして、各項目の設定値を調整するための操作を、各項目とそれぞれ対応づけられたアサインキーを押しながらのサーチダイヤル１１ａとしての摺動操作子の操作としたことで、調整のために設けられるべき摺動操作子は少なくとも１つのみとすることができる。
また、同時に、このように各項目の設定値を調整するための操作を、各項目とそれぞれ対応づけられたアサインキーを押しながらの摺動操作子の操作としたことで、あたかも各項目ごとに設けられた摺動操作子を操作して各項目についてのボリューム調整を行っているような感覚を与えることができる。
これらのことより本実施の形態によれば、操作子の実装スペースが比較的少なくそれぞれの項目ごとの摺動操作子が設けられない場合にも、あたかもそれら各項目ごとの摺動操作子を操作して各項目についてのボリューム調整を行っているような感覚をユーザに与えることができる。
【０１０５】
また、このようにアサインキーを押し続ける操作を必須としたことで、それを離すという行為を、調整のための画面から抜ける指示として割り当てることが可能となる。例えば実施の形態のように、アサインキーをはなすという行為を、項目ごとのボリューム調整画面Ｇ３から、項目名が一覧表示される設定モードトップ画面Ｇ２に戻るための指示に割り当てるといったものである。これによって調整のための画面から元の画面に戻るときの別途の操作は不要とすることができる。
【０１０６】
なお、仮に、アサインキーを押し続ける操作とはせず、アサインキーを１度押して離した後に、サーチダイヤル１１ａの操作によりプロセスボリュームを調整できるようにした場合には、本実施の形態のように各項目ごとに専用の摺動操作子を操作しているような操作感を与えることができない。つまりこの場合においては、調整操作自体は、摺動操作子を動かす操作のみとなるからである。
また、さらにこの場合は、アサインキーを押すと調整対象項目を選択できるが、その選択項目から抜けるときには別途の操作が必要となる。
これらのことより、仮にアサインキーを押し続けるという点を必須としない場合には、実施の形態のように、従来どおり各項目ごとの専用の摺動操作子を操作している感覚を与えつつ、且つ選択した項目から抜けるときに操作が不要であるという効果を得ることができないものとなる。
【０１０７】
また、アサインキーの操作が継続する間は、項目の一覧表示が行われる設定モードトップ画面Ｇ２から、背景画像の表示が行われるボリューム変更画面Ｇ３への表示に移るようにされているが、このボリューム変更画面Ｇ３としては、一覧表示される項目のうち、調整対象項目に選択された項目についての情報（具体的には調整対象項目に選択された項目についての項目名情報Ａ１-1、ＰＲＥ／ＶＡＲ情報Ａ２-1、ボリュームバーとボリュームカーソルＣＲ）のみを示するものとしている。このようにしたことで、例えば一覧表示画面（設定モードトップ画面Ｇ２）上で背景画像を表示するとした場合と比較すれば、より背景画像の確認をし易くすることができる。
【０１０８】
また、アサインキーを押しながらダイヤル操作が行われて変更された表示値を、バリアブルモードへの切り替え操作としてのRESETキー１１ｂの操作に応じて、実際に信号処理に用いられる設定値として確定（更新）させるものとしたが、これは、変更した値への更新が行われるバリアブルモードと、プリセット値への更新が行われるプリセットモードとの切り替えを可能とするようにされているためである。
このようにしてバリアブルモードとプリセットモードとの切り替えを行うことができるようにすれば、該当する項目の設定値をプリセット値に戻す操作を１操作で行うことが可能となり、逆にプリセット値による設定値を以前に変更した値へと更新する操作も１操作で行うことができるようになる。
【０１０９】
−変形例−
以上、本発明の実施の形態について説明したが、本発明としてはこれまに説明した実施の形態に限定されるべきものではない。
例えば、実施の形態では、設定値を変更するために用いる摺動操作子がダイヤル操作子とされる場合を例示したが、いわゆるスライダーなどのスライド操作が可能なスライド操作子を用いるなど、摺動して各種のボリュームを変更することのできる操作子（摺動に伴いクリック感を伴うものも含む）が用いられる場合であれば、本発明を好適に適用することができる。
【０１１０】
また、実施の形態では、バリアブルモードとプリセットモードとの切り替えを可能とするために、表示値を設定値として確定（更新）するための別途の確定操作が必要となる場合を例示したが、アサインキーの操作中の摺動操作子の操作に応じて該当する項目の表示値を変更しつつ、設定値自体も更新（確定）するように構成することもできる。
このようにすれば、設定値確定までに要する操作回数を減らすことができる。
【０１１１】
また、実施の形態の場合、各項目が一覧表示される設定モードトップ画面Ｇ２（一覧画面）上では、各項目ごとの設定値を表すためのボリュームバーとボリュームカーソルＣＲ（つまり設定値を表すための表示値となる）を表示するものとしたが、この状態でのアサインキー操作＋摺動操作子の操作に応じ、操作中のアサインキーと対応づけられた項目のカーソルＣＲを動かす（つまり表示値を変更する）ことができるようにしてもよい。
但し、一覧画面上では複数の項目についての情報が表示されているので、背景画像としての設定値を反映した画像は表示できないか、或いは表示したとしても視認性が著しく損なわれてしまうという難点はある。
【０１１２】
また、実施の形態では、ボリューム変更画面Ｇ３上で背景として表示するのはフレーム画像（静止画像）とする場合を例示したが、映像（動画像）とすることもできる。
また、実施の形態では、背景画像は光ディスクＤから再生された映像データに基づくものを表示するものとしたが、必ずしもその必要はない。
何れにせよ、背景画像として表示する画像は、映像信号処理部７にて信号処理が施された何らかの画像が表示されるようになっていれば、ユーザに設定値が反映された画像を提示することができる。
【０１１３】
また、実施の形態では、本発明の情報処理装置が光ディスク記録媒体についての記録再生を行う装置に適用される場合を例示したが、光ディスク記録媒体以外の他の記録媒体に対応した構成とすることもできる。
また、実施の形態では、本発明の情報処理装置が、業務用のポータブル編集装置とされる場合を例示したが、本発明としては他の電子機器に対して広く適用することができる。例えば、音声編集装置において、音声信号処理の各種のプロセスボリュームを調整する際にも本発明は好適に適用することができる。
【図面の簡単な説明】
【０１１４】
【図１】実施の形態の情報処理装置の外観を示す斜視図である。
【図２】実施の形態の情報処理装置の内部構成を示すブロック図である。
【図３】各種信号処理についてのプロセスボリュームの調整を行う上でユーザが行うべき操作手順について説明するための図として、ユーザが行うべき操作内容と、操作に応じた画面遷移との双方を模式的に示した図である。
【図４】同じく、各種信号処理についてのプロセスボリュームの調整を行う上でユーザが行うべき操作手順について説明するための図として、ユーザが行うべき操作内容と、操作に応じた画面遷移との双方を模式的に示した図である。
【図５】同じく、各種信号処理についてのプロセスボリュームの調整を行う上でユーザが行うべき操作手順について説明するための図として、ユーザが行うべき操作内容と、操作に応じた画面遷移との双方を模式的に示した図である。
【図６】何れかの項目がバリアブルモードに切り替えられた場合のスタート画面への画面遷移を模式的に示した図である。
【図７】実施の形態としての動作を実現するために行われるべき処理動作として、主に設定モードトップ画面（一覧画面）の表示処理と、その表示状態で行われた操作入力に応じて行われるべき処理動作を示したフローチャートである。
【図８】実施の形態としての動作を実現するために行われるべき処理動作として、主にボリューム変更画面の表示状態での操作入力に応じて行われるべき処理動作について示したフローチャートである。
【図９】無操作状態の継続時間に応じてスタート画面に自動的に戻るための処理動作について示したフローチャートである。
【符号の説明】
【０１１５】
１  記録再生装置、２  ＣＰＵ、３  ＲＯＭ、４  ＲＡＭ、５  フラッシュメモリ、６  記録／再生部、７  映像信号処理部、８  キャラクタ発生器、９  表示駆動部、１０  表示部、１１  操作部、１１ａ  サーチダイヤル、１１ｂ  RESETキー、１１ｃ  SHIFTキー、１１ｄ  MENUキー、１１ｅ  STATUSキー、１１ｆ  PREVキー、１１ｇ  PLAYキー、１１ｈ  NEXTキー、１１ｉ  STOPキー、１１ｊ  左方向キー、１１ｋ  右方向キー、１２  ディスク装填部、Ｄ  光ディスク
【図１】
2007286896.tif 000003
【図２】
2007286896.tif 000004
【図３】
2007286896.tif 000005
【図４】
2007286896.tif 000006
【図５】
2007286896.tif 000007
【図６】
2007286896.tif 000008
【図７】
2007286896.tif 000009
【図８】
2007286896.tif 000010
【図９】
2007286896.tif 000011